(57)【要約】【課題】底面の排水溝による排水性を向上させた靴底を提供する。【解決手段】アウトソール２２の底面に排水溝３０を備えた靴底において、上記排水溝を、踵部２９の後端中央縁部と、爪先部２６の前端中央縁部より内側の縁部とを連通し、歩行時における歩行者の重心移動軌跡ＰＬに沿って形成された主溝３２を有するものとする。【選択図】図１
2012135425.tif 000002
【特許請求の範囲】
【請求項１】
歩行面と接触するアウトソールの底面に排水溝を備えた靴底であって、
前記排水溝は、踵部後端中央縁部と、爪先部前端中央縁部より内側の縁部とを連通し、歩行時における歩行者の重心移動軌跡に沿って形成された主溝を有することを特徴とする靴底。
【請求項２】
前記主溝は、踵部においては踵部の幅方向中心を通り、土踏まず部においては土踏まず部の幅方向中心を通り、踏付け部においては踏付け部の幅方向中心より外側を通り、爪先部においては爪先部の幅方向中心より内側を通っている請求項１に記載の靴底。
【請求項３】
前記底面の前記主溝より内側部分および外側部分をそれぞれ複数のブロックに分割する複数の枝溝を有し、
前記枝溝のそれぞれは、一端が前記主溝に直接あるいは間接的に連通し、他端が前記底面の内側縁部または外側縁部に直接あるいは間接的に連通している請求項１または２に記載の靴底。
【請求項４】
前記枝溝のそれぞれは、その長手方向に対して直交する溝幅が前記主溝の長手方向に対して直交する溝幅より小さく形成されている請求項３に記載の靴底。
【請求項５】
前記複数の枝溝のうち前記底面の内側縁部あるいは外側縁部に直接連通している枝溝は、前記底面の内側縁部あるいは外側縁部に向かって溝幅および／または高さが次第に大きくなるように形成されている請求項３または４に記載の靴底。
【請求項６】
前記複数のブロックのそれぞれに、一端が前記枝溝または前記底面の周縁部に連通し、他端が閉塞した細溝が設けられている請求項３〜５のいずれか１項に記載の靴底。
【請求項７】
前記主溝は、間隔をおいて相互に平行に２列配置された内主溝および外主溝を有し、
前記内主溝および前記外主溝の間には、前記枝溝および前記細溝が設けられていない請求項１〜６のいずれか１項に記載の靴底。
【請求項８】
請求項１〜７のいずれか１項に記載の靴底を装着したことを特徴とする靴。
【発明の詳細な説明】
【技術分野】
【０００１】
本発明は、底面の排水溝による排水性を向上させた靴底およびそれを用いた靴に関する。
【背景技術】
【０００２】
降雨、降雪などにより水に濡れた歩行面（路面、地面等）が滑りやすいのは、水に濡れた歩行面を移動する歩行時に、靴底の底面と歩行面との間に水が介在するからであり、この水を靴底の底面より速やかに排出することによって滑りを防止することができる。
【０００３】
そこで、従来の靴、例えばゴルフ靴などにおいては、靴底の底面に水を排水させるための排水溝が設けられている（例えば、特許文献１参照）。
【先行技術文献】
【特許文献】
【０００４】
【特許文献１】特開２００５−４０２３４号公報（段落００７０、図８）
【発明の概要】
【発明が解決しようとする課題】
【０００５】
ところで、近年、靴の高性能化に対応するため、靴底の底面に設けた排水溝による排水性のさらなる向上が望まれている。
【０００６】
本発明はこのような点に鑑みてなされたものであり、排水溝による排水性を向上させた靴底およびその靴底を装着した靴を提供することを目的とする。
【課題を解決するための手段】
【０００７】
前述した目的を達成するため、請求項１に記載の本発明の靴底の特徴は、歩行面と接触するアウトソールの底面に排水溝を備えた靴底であって、  前記排水溝は、踵部後端中央縁部と、爪先部前端中央縁部より内側の縁部とを連通し、歩行時における歩行者の重心移動軌跡に沿って形成された主溝を有する点にある。そして、このような構成を採用したことにより、歩行時において底面に踵部から爪先部に向かって順次加わる圧力と接触部分の移動により、底面と歩行面との間に介在する水を主溝に流入させるとともに、主溝に流入した水を主溝の踵部から爪先部に向かって速やかに流動させて、爪先部の前端から速やかに排水することができる。その結果、排水溝による排水性を向上できる。
【０００８】
請求項２に記載の本発明の靴底の特徴は、請求項１において、前記主溝は、踵部においては踵部の幅方向中心を通り、土踏まず部においては土踏まず部の幅方向中心を通り、踏付け部においては踏付け部の幅方向中心より外側を通り、爪先部においては爪先部の幅方向中心より内側を通っている点にある。そして、このような構成を採用したことにより、主溝を確実に歩行時における重心移動軌跡に沿って形成することができる。
【０００９】
請求項３に記載の本発明の靴底の特徴は、請求項１または２において、前記底面の前記主溝より内側部分および外側部分をそれぞれ複数のブロックに分割する複数の枝溝を有し、前記枝溝のそれぞれは、一端が前記主溝に直接あるいは間接的に連通し、他端が前記底面の内側縁部または外側縁部に直接あるいは間接的に連通している点にある。そして、このような構成を採用したことにより、複数の枝溝は、排水路を多くすることができる。また、歩行時に底面のブロックと歩行面の間に介在する水を枝溝に速やかに流入させて、主溝に流入させたり、底面の内側縁部あるいは外側縁部を介して外部に速やかに排水させたりすることができる。また、主溝を踵部から爪先部に向かって流動する水の少なくとも一部を内側縁部あるいは外側縁部を介して外部に排水できる。すなわち、水の少なくとも一部の排水路を短くすることができる。
【００１０】
請求項４に記載の本発明の靴底の特徴は、請求項３において、前記枝溝のそれぞれは、その長手方向に対して直交する溝幅が前記主溝の長手方向に対して直交する溝幅より小さく形成されている点にある。そして、このような構成を採用したことにより、枝溝から主溝への水の流動性が向上するので、排水性を向上させることができる。
【００１１】
請求項５に記載の本発明の靴底の特徴は、請求項３または４において、前記複数の枝溝のうち前記底面の内側縁部あるいは外側縁部に直接連通している枝溝は、前記底面の内側縁部あるいは外側縁部に向かって溝幅および／または高さが次第に大きくなるように形成されている点にある。そして、このような構成を採用したことにより、枝溝による水の排水出口を大きくできる。
【００１２】
請求項６に記載の本発明の靴底の特徴は、請求項３〜５のいずれか１項において、前記複数のブロックのそれぞれに、一端が前記枝溝または前記底面の周縁部に連通し、他端が閉塞した細溝が設けられている点にある。そして、このような構成を採用したことにより、排水路をより多くできる。また、細溝は、歩行時に底面のブロックと歩行面との間に介在する水を枝溝に速やかに流入させたり、あるいは底面の周縁部からより速やかに排水させたりすることができる。
【００１３】
請求項７に記載の本発明の靴底の特徴は、請求項１〜６のいずれか１項において、前記主溝は、間隔をおいて相互に平行に２列配置された内主溝および外主溝を有し、前記内主溝および前記外主溝の間には、前記枝溝および前記細溝が設けられていない点にある。そして、このような構成を採用したことにより、内主溝は、底面の内側に付着した水を集水して排水し、外主溝は、底面の外側に付着した水を集水して排水するので、集水および排水機能を内側と外側とに２分割することができる。これに対し、主溝を１本の幅広の溝とした場合は、靴底が左右に屈曲しやすくなりすぎたり、靴底に起因して歩行者が違和感を感じたりする可能性があるなど、靴底としての機能が低下するおそれが生じる。
【００１４】
請求項８に記載の本発明の靴の特徴は、請求項１〜７のいずれか１項に記載の靴底を装着した点にある。そして、このような構成を採用したことにより、靴底の排水溝による排水性を向上させることができる。また、靴底の排水溝による排水性が向上するので、水に濡れた歩行面を移動する歩行時に滑りにくい。
【発明の効果】
【００１５】
本発明の靴底および靴は、排水溝による排水性が良好であるため、水に濡れた歩行面の歩行時に滑りにくいなどの優れた作用効果を奏する。なお、本発明の靴底および靴は、水以外に、油などの靴が滑りやすい液体で濡れた歩行面に対しても有効である。
【図面の簡単な説明】
【００１６】
【図１】本発明に係る靴底を装着した靴の実施形態の下面図である。
【図２】図１の要部の断面図であり、（ａ）は主溝、（ｂ）は第１〜第４主枝溝、（ｃ）は接続溝、（ｄ）は細溝である。
【発明を実施するための形態】
【００１７】
以下、本発明を図面に示す実施形態により説明する。図１は本発明に係る靴底を装着した靴の実施形態の下面図、図２は要部の断面図である。なお、図１は右足用靴のみを示しているが、右足用靴と左足用靴とは左右対称である。また、靴は、図１の右方向が足の内側であり、左方向が足の外側であり、図１の上方が足の前側であり、図１の下方が足の後側である。
【００１８】
本実施形態の靴１０（右足用）は、従来と同様に、靴底２０と図示しないアッパー部とを有している。なお、アッパー部としては、従来公知の各種のものを用いることができる。
【００１９】
前記靴底２０は、歩行面との接触面となる底面２２ａを具備するアウトソール２２と、アウトソール２２に積層されたミッドソール２４とを有している。この底面２２ａは、前側から順に、爪先部２６、踏付け部２７、土踏まず部２８、踵部２９に区画される。
【００２０】
前記底面２２ａには、底面２２ａに付着した水を排水するための排水溝３０が設けられている。本実施形態の排水溝３０は、主溝３２と、枝溝３４と、細溝３６とを有している。
【００２１】
前記主溝３２は、排水路の最も主流となるものであり、図１の１点鎖線にて示す歩行時における歩行者の重心移動軌跡ＰＬに沿って、踵部後端中央縁部と、爪先部前端中央縁部よりやや内側の縁部とを連通するように形成されている。
【００２２】
より具体的には、主溝３２は、踵部２９においては踵部２９の幅方向ほぼ中心を通り、土踏まず部２８においては土踏まず部２８の幅方向ほぼ中心を通り、踏付け部２７においては踏付け部２７の幅方向中心よりやや外側を通り、爪先部２６においては爪先部２６の幅方向中心よりやや内側を通っている
【００２３】
本実施形態の主溝３２は、その溝幅とほぼ等しい間隔をおいて相互に平行に２列配置された内主溝３２ａおよび外主溝３２ｂとを有している。この主溝３２（符号３２は、内主溝３２ａおよび外主溝３２ｂを総称する。）は、図２（ａ）に示すように、その長手方向に対して直交する幅方向の溝幅Ｗ１が４−８ｍｍの範囲、本実施形態においては６ｍｍで、高さ（深さ）Ｈ１が３−５ｍｍの範囲、本実施形態においては４ｍｍに形成されている。溝幅が、この範囲を超えると使用者が足裏に違和感を感じ、この範囲より小さいと排水性が小さくなる傾向がある。また、主溝３２の天壁は、その幅方向の断面形状が上方に凸の湾曲状に形成されている。なお、主溝３２の断面形状としては、天壁の角部を丸めることが、集中荷重によるクラックの発生を防止して耐久性を向上できるという点などで好ましい。また、主溝３２の本数は、１本であってもよいし、３本以上であってもよい。
【００２４】
前記枝溝３４は、底面２２ａの内側部分および外側部分を複数のブロック３８（一部のみ符号を付してある。）に分割するとともに、底面２２ａの排水路を多くし、かつ歩行時に底面２２ａのブロック３８と歩行面との間に介在する水の一部を主溝３２に速やかに流入させ、残りの水を底面２２ａの内側縁部あるいは外側縁部を介して外部に速やかに排水させるためのものである。
【００２５】
本実施形態の枝溝３４は、下記第１主枝溝３４ａ〜第４主枝溝３４ｄを有する。
・底面２２ａの周縁のうちの踵部２９の後端外側縁部と、外主溝３２ｂの外側壁のうちの踵部２９の前部に位置する部分とを連通する第１主枝溝３４ａ。
・底面２２ａの周縁のうちの踵部２９の後端内側縁部と、土踏まず部２８の内側縁部とを連通する第２主枝溝３４ｂ。
・底面２２ａの周縁のうちの爪先部２６の前端外側縁部と、外主溝３２ｂの外側壁のうちの踏付け部２８の外側後部に位置する部分とを連通する第３主枝溝３４ｃ。
・底面２２ａの周縁のうちの土踏まず部２８の内側縁部と、内主溝３２ａの内側壁のうちの踏付け部２８の前部に位置する部分とを連通する第４主枝溝３４ｄ。
【００２６】
上記第１〜第４主枝溝３４ａ〜３４ｄは、図２（ｂ）に示すように、その長手方向に対して直交する幅方向の溝幅Ｗ２が４−８ｍｍの範囲、本実施形態においては５．５ｍｍで、高さ（深さ）Ｈ２が３−５ｍｍの範囲、本実施形態においては４ｍｍに形成されている。また、第１〜第４主枝溝３４ａ〜３４ｄの天壁は、その幅方向の断面形状が上方に凸の湾曲状に形成されている。
【００２７】
また、本実施形態の枝溝３４は、下記接続溝３４ｅ、外側連通溝３４ｆ、内側連通溝３４ｇ、第１サブ溝３４ｈ、第２サブ溝３４ｉを有する。
・主溝３２と、主枝溝３４ａ〜３４ｄとを連通する複数の接続溝３４ｅ（一部のみ符号を付してある。）。
・外主溝３２ｂ、第１主枝溝３４ａまたは第３主枝溝３４ｃの外側壁と、底面２２ａの外側縁部とを連通する複数の外側連通溝３４ｆ（一部のみ符号を付してある。）。
・内主溝３２ａ、第２主枝溝３４ｂまたは第４主枝溝３４ｄの内側壁と、底面２２ａの内側縁部とを連通する複数の内側連通溝３４ｇ（一部のみ符号を付してある。）。
・内主溝３２ａと内側連通溝３４ｇとを連通する１つの第１サブ溝３４ｈ。
・踏付け部２８の後部内側において接続溝３４ｅと内側連通溝３４ｇとを連通する１つの第２サブ溝３４ｉ。
【００２８】
前記接続溝３４ｅは、図２（ｃ）に示すように、その長手方向に対して直交する幅方向の溝幅Ｗ３が３−６ｍｍの範囲、本実施形態においては４ｍｍで、高さ（深さ）Ｈ３が２−４．５ｍｍの範囲、本実施形態においては３．５ｍｍに形成されている。また、接続溝３４ｅの天壁は、その幅方向の断面形状が上方に凸の湾曲状に形成されている。さらに、主溝３２と第１〜第４主枝溝３４ａ〜３４ｄとを直接接続する接続溝３４ｅは、基本的には、主溝３２との接続端が前方とされ、各枝溝３４ａ〜３４ｄとの接続端が後方となるように、傾けて配置されている。接続溝３４ｅに上記のような傾斜をもたせることにより、接続溝３４ｅからの水が主溝３２に容易に流入するようにしている。なお、接続溝３４ｅの断面形状としては、天壁の角部を丸めることが前述の点で好ましい。
【００２９】
前記外側連通溝３４ｆおよび内側連通溝３４ｇは、それぞれ底面２２ａの外側縁部あるいは内側縁部に向かって溝幅が次第に大きくなるように形成されている。なお、外側連通溝３４ｆおよび内側連通溝３４ｇは、それぞれ底面２２ａの外側縁部あるいは外側縁部に向かって高さが次第に大きくなるように形成されているものであってもよいし、溝幅および高さの両者が次第に大きくなるように形成されているものであってもよい。また、外側連通溝３４ｆおよび内側連通溝３４ｇは、主溝３２の長手方向に対して傾けて設けられている。
【００３０】
なお、枝溝３４（符号３４は、主枝溝３４ａ〜３４ｄ、接続溝３４ｅ、外側連通溝３４ｆ、内側連通溝３４ｇ、第１サブ溝３４ｈ、第２サブ溝３４ｉを総称する。）としては、一端が主溝３２に直接あるいは間接的に連通し、他端が底面２２ａの内側縁部あるいは外側縁部に直接あるいは間接的に連通しているものであればよい。
【００３１】
前記複数のブロック３８のそれぞれには、一端が枝溝３４あるいは底面２２ａの周縁部に連通し、他端が閉塞された細溝３６（一部のみ符号を付してある。）が設けられている。この場合、各ブロック３８は葉身形の形状をなしているものが多く、各細溝３６は葉脈形の形状をなしているものが多い。そして、上記葉脈形の基端が枝溝３４あるいは底面２２ａの周縁部に連通しているものが多く、これにより細溝３６内の水が枝溝３４に容易に流入したり、底面２２ａの周縁部から外部に容易に流出したりするようになっている。これらの細溝３６は、図２（ｄ）に示すように、その長手方向に対して直交する幅方向の溝幅Ｗ４が２−４ｍｍの範囲、本実施形態においては２．５ｍｍで、高さ（深さ）Ｈ４が１−４ｍｍの範囲、本実施形態においては３ｍｍに形成されている。また、細孔は、その幅方向の断面形状が上方に凸の湾曲状に形成されている。
【００３２】
なお、靴底２０の底面２２ａのうち外主溝３２ｂと内主溝３２ａの間に位置する部分には、枝溝３４および細溝３６は形成されておらず、平坦面とされている。
【００３３】
つぎに、前述した構成からなる本実施形態の作用について説明する。
【００３４】
本実施形態の靴底２０によれば、歩行時に靴底２０の底面２２ａと歩行面の間に介在する水は、歩行時における歩行者の踵側から爪先側への体重移動により、主溝３２、枝溝３４および細溝３６に流入する。そして、主溝３２に流入した水は、主溝３２の後側から前側に向かって流動して爪先部２６の前端から外部に排水される。すなわち、太い主流となる主溝３２により素速く排水することができる。その結果、水に濡れた歩行面の歩行時に滑りにくい。さらに、主溝３２を内主溝３２ａおよび外主溝３２ｂの２つとすることで、排水を内外に分けることができる。また、主溝３２により素速く排水することができるので、底面２２ａに水がなくなるから、水跳ねを低減することもできる。
【００３５】
前記枝溝３４のうちの第１主枝溝３４ａに流入した水は、第１主枝溝３４ａを後側から前側に流動して外主溝３２ｂに流入する。また、枝溝３４のうちの第２主枝溝３４ｂに流入した水は、第２主枝溝３４ｂを踵部２９から爪先部２６に向かって流動して土踏まず部２８の内側縁部の後端側（踵部２９の内側縁部の前端側）から外部に排水される。さらに、枝溝３４のうちの第３主枝溝３４ｃに流入した水は、第３主枝溝３４ｃを踵部２９から爪先部２６に向かって流動して爪先部２６前端外側縁部から外部に排水される。さらにまた、枝溝３４のうちの第４主枝溝３４ｄに流入した水は、第４主枝溝３４ｄを後側から前側に流動して内主溝３２ａに流入する。また、枝溝３４のうちの接続溝３４ｅに流入した水は、内側主溝３２あるいは外主溝３２ｂに流入する。枝溝３４のうちの外側連通溝３４ｆに流入した水は、外側連通溝３４ｆを外側に向かって流動して外周縁部から排水される。枝溝３４のうちの内側連通溝３４ｇに流入した水は、内側連通溝３４ｇを内側に向かって流動して内周縁部から排水される。
【００３６】
したがって、枝溝３４は、底面２２ａの内側部分および外側部分を複数のブロック３８に分割できるし、排水路を多くできるし、排水までの水の移動距離（排水路の長さ）を短くできるので、より素早く排水できる。
【００３７】
また、外側連通溝３４ｆおよび内側連通溝３４ｇを、それぞれ底面２２ａの外側縁部あるいは外側縁部に向かって溝幅が次第に大きくなるように形成していることにより、排水出口の溝幅方向の断面積である流路面積が大きくなるので、排水性を向上できる。
【００３８】
前記細溝３６に流入した水は、枝溝３４に流入するか、底面２２ａの周縁部から外部に排水される。
【００３９】
したがって、細溝３６は、排水路をより多くできるし、歩行時に底面２２ａのブロック３８と歩行面の間に介在する水を外側連通溝３４ｆや内側連通溝３４ｇにより速やかに流入させたり、底面２２ａの周縁部からより速やかに排水させたりすることができる。
【００４０】
このように、本実施形態の靴底２０によれば、排水溝３０は、歩行時における重心移動軌跡ＰＬに沿って踵部２９後端中央縁部と爪先部前端中央縁部より内側の縁部とを連通する主溝３２を有し、主溝３２は、底面２２ａを歩行時における重心移動軌跡ＰＬに沿って内側部分および外側部分に分割する構成とされているから、歩行時において底面２２ａに踵部２９から爪先部２６に向かって順次加わる圧力と接触部分の移動により、底面２２ａと歩行面の間に介在する水を主溝３２に流入させるとともに、主溝３２に流入した水を主溝３２の踵部２９から爪先部２６に向かって速やかに流動させて、爪先部２６の前端から速やかに排水することができる。その結果、排水溝３０による排水性を向上できる。
【００４１】
本実施形態の靴底２０によれば、底面２２ａの内側部分および外側部分を複数のブロック３８に分割するように設けられた複数の枝溝３４を有し、複数の枝溝のそれぞれは、一端が主溝３２に直接あるいは間接的に連通し、他端が底面２２ａの内側縁部または外側縁部に直接あるいは間接的に連通しているから、複数の枝溝３４は、排水路を多くすることができる。また、歩行時に底面２２ａのブロック３８と歩行面との間に介在する水を枝溝３４に速やかに流入させて、主溝３２に流入させたり、底面２２ａの内側縁部あるいは外側縁部を介して外部に速やかに排水させたりすることができる。また、主溝３２を踵部２９から爪先部２６に向かって流動する水の少なくとも一部を内側縁部あるいは外側縁部を介して外部に排水できる。すなわち、水の少なくとも一部の排水路を短くすることができる。
【００４２】
本実施形態の靴底２０によれば、複数の枝溝３４のそれぞれは、溝幅が主溝３２の溝幅より小さく形成されているから、枝溝３４から主溝３２への水の流動性を向上できるので、排水性を向上できる。
【００４３】
本実施形態の靴底２０によれば、底面２２ａの内側縁部あるいは外側縁部に直接連通している外側連通溝３４ｆおよび内側連通溝３４ｇは、底面２２ａの内側縁部あるいは外側縁部に向かって溝幅が次第に大きくなるように形成されているから、外側連通溝３４ｆおよび内側連通溝３４ｇによる水の排水出口を大きくできる。その結果、排水性を向上できる。
【００４４】
本実施形態の靴底２０によれば、複数のブロック３８のそれぞれに、一端が枝溝３４あるいは底面２２ａの周縁部に連通し、他端が閉塞された細溝３６が設けられているから、排水路をより多くできる。また、細溝３６は、歩行時に底面２２ａのブロック３８と歩行面の間に介在する水を外側連通溝３４ｆおよび内側連通溝３４ｇにより速やかに流入させたり、あるいは底面２２ａの周縁部からより速やかに排水させたりすることができる。
【００４５】
本実施形態の靴底２０によれば、主溝３２は、間隔をおいて相互に平行に２列配置された内主溝３２ａおよび外主溝３２ｂを有し、内主溝３２ａおよび外主溝３２ｂの間には、枝溝３４および細溝３６が設けられていないから、内主溝３２ａは、底面２２ａの内側に付着した水を集水して排水し、外主溝３２ｂは、底面２２ａの外側に付着した水を集水して排水するので、集水および排水機能を内側と外側とに２分割できる。
【００４６】
本実施形態の靴１０によれば、本実施形態の靴底２０を装着した構成とされているから、靴底２０の排水溝３０による排水性を向上できる。また、靴底２０の排水溝３０による排水性を向上できるので、水に濡れた歩行面を移動する歩行時に滑りにくい。さらに、靴底２０の底面２２ａに水が少なくなるから、水跳ねを低減することもできる。
【００４７】
なお、本発明は、前述した実施形態に限定されるものではなく、必要に応じて種々の変更が可能である。
【符号の説明】
【００４８】
１０  靴
２０  靴底
２２  アウトソール
２６  爪先部
２７  踏付け部
２８  土踏まず部
２９  踵部
３０  排水溝
３２  主溝
３２ａ  内主溝
３２ｂ  外主溝
３４  枝溝
３４ａ  第１枝溝
３４ｂ  第２枝溝
３４ｃ  第３枝溝
３４ｄ  第４枝溝
３４ｅ  接続溝
３４ｆ  外側連通溝
３４ｇ  内側連通溝
３４ｈ  第１サブ溝
３４ｉ  第２サブ溝
３６  細溝
３８  ブロック
ＰＬ  歩行時における重心移動軌跡
【図１】
2012135425.tif 000003
【図２】
2012135425.tif 000004